(57)【要約】【課題】臭気及び尿石の発生を少量の洗浄水によって防止することができる小便器を提供する。【解決手段】小便器は、便鉢部１１を有する小便器本体１０と、便鉢部１１から尿及び洗浄水が流入する流入口３１、この流入口３１から流入した尿及び洗浄水を混合した混合液体が貯留され、水封を形成する水封部３６を有する内部流路３２、及び水封部３６から溢流した混合液体が流出する流出口３３を有し、混合液体よりも比重が小さいシール液を水封部３６に注入して混合液体の上流側で上面を覆うように滞留させ、混合液体から発生する臭気が便鉢部１１側へ拡散することを防止するシール層Ｓを形成しており、便鉢部１１の下端に設けられた排水トラップ３０と、水封部３６の容量よりも少ない水量の洗浄水を便鉢部１１の表面に吐水し、便鉢部１１の表面に付着した尿を流入口３１から排水トラップ３０内へ流入させる吐水装置５０とを備えている。【選択図】図１
2014211033.tif 000002
【特許請求の範囲】
【請求項１】
便鉢部を有する小便器本体と、
前記便鉢部から尿及び洗浄水が流入する流入口、この流入口から流入した尿及び洗浄水を混合した混合液体が貯留され、水封を形成する水封部を有する内部流路、及び前記水封部から溢流した前記混合液体が流出する流出口を有し、前記混合液体よりも比重が小さいシール液を前記水封部に注入して前記混合液体の上流側で上面を覆うように滞留させ、前記混合液体から発生する臭気が便鉢部側へ拡散することを防止するシール層を形成しており、前記便鉢部の下端に設けられた排水トラップと、
前記水封部の容量よりも少ない水量の洗浄水を前記便鉢部の表面に吐水し、前記便鉢部の表面に付着した尿を前記流入口から前記排水トラップ内へ流入させる吐水装置とを備えていることを特徴とする小便器。
【請求項２】
前記吐水装置は、前記便鉢部の所定の表面である第１表面に向けて噴霧状の洗浄水を吐水する噴霧ノズルと、前記第１表面以外の前記便鉢部の表面である第２表面に向けて整流状の洗浄水を吐水する整流ノズルとを有していることを特徴とする請求項１記載の小便器。
【請求項３】
前記吐水装置は、洗浄水を吐水しない第１モード、一定時間ごとに洗浄水を吐水する第２モード、及び使用される毎に洗浄水を吐水する第３モードを有し、少なくともこれら各モードの内、２つのモードを選択して洗浄水を吐水することを特徴とする請求項１又は２記載の小便器。
【発明の詳細な説明】
【技術分野】
【０００１】
本発明は小便器に関する。
【背景技術】
【０００２】
特許文献１は従来の小便器を開示している。この小便器は、便鉢部を有する小便器本体と、便鉢部の下端に設けられた排水トラップとを備えている。排水トラップは、便鉢部から尿が流入する流入口、この流入口から流入した尿が貯留され、水封を形成する水封部を有する内部流路、及び水封部から溢流した尿が流出する流出口を有している。この排水トラップは尿よりも比重が小さいシール液を水封部に注入している。ここで、「比重が小さい」とは、比重がある物質の密度（単位体積当たりの質量）と基準となる標準物質との密度との比であることから、「密度が低い」ことを言う（以下、同じ。）。つまり、排水トラップは尿よりも密度が低いシール液を水封部に注入している。これによって、水封部の上流側で尿の上面を覆うようにシール液が滞留するシール層が形成される。
【０００３】
この小便器は、排水トラップに尿を貯留して形成した水封によって、排水トラップより下流側から臭気や虫等が便鉢部側へ侵入することを防止することができる。また、排水トラップに貯留した尿から発生する臭気はシール層によって便鉢部側へ拡散することを防止することができる。このように、この小便器は、洗浄水を利用せずに便鉢部側へ臭気や虫等が侵入することを防止することができるため、大きな節水効果を得ることができる。
【先行技術文献】
【特許文献】
【０００４】
【特許文献１】特許第３５１５７８５号公報
【発明の概要】
【発明が解決しようとする課題】
【０００５】
しかし、特許文献１の小便器では、便鉢部の表面に付着した尿を能動的に流入口から排水トラップ内へ流入させる機能を有していない。このため、便鉢部の表面に尿が残留する。便鉢部の表面に残留した尿は、時間の経過とともに、臭気が発生したり、便鉢部の表面に尿石を形成したりするおそれがある。つまり、尿は、排泄された直後には臭気が発生せず、時間の経過と共にバクテリアの作用によって尿中の成分が分解してアンモニアを生成し、臭気を発生する。また、アンモニアの生成によって、ｐＨが上昇すると尿中のカルシウムイオン等が炭酸塩、リン酸塩として析出し、尿石を形成する。尿石が形成されると、尿石が多孔質のため、様々なバクテリアや有機物の温床となり、さらに強烈な臭気を放出することになる。
【０００６】
また、排水トラップの水封部の容量よりも多い水量の洗浄水を便鉢部の表面に吐水する一般的な水洗式小便器が存在する。これは、使用者が排尿した後に尿が滞留する水封部内を新たな洗浄水に置換するものである。このため、この水洗式小便器は、便鉢部の表面に尿が残留することが無いが、１回の便器洗浄に２〜３Ｌの洗浄水を消費してしまう。
【０００７】
本発明は、上記従来の実情に鑑みてなされたものであって、臭気及び尿石の発生を少量の洗浄水によって防止することができる小便器を提供することを解決すべき課題としている。
【課題を解決するための手段】
【０００８】
本発明の小便器は、便鉢部を有する小便器本体と、
前記便鉢部から尿及び洗浄水が流入する流入口、この流入口から流入した尿及び洗浄水を混合した混合液体が貯留され、水封を形成する水封部を有する内部流路、及び前記水封部から溢流した前記混合液体が流出する流出口を有し、前記混合液体よりも比重が小さいシール液を前記水封部に注入して前記混合液体の上流側で上面を覆うように滞留させ、前記混合液体から発生する臭気が便鉢部側へ拡散することを防止するシール層を形成しており、前記便鉢部の下端に設けられた排水トラップと、
前記水封部の容量よりも少ない水量の洗浄水を前記便鉢部の表面に吐水し、前記便鉢部の表面に付着した尿を前記流入口から前記排水トラップ内へ流入させる吐水装置とを備えていることを特徴とする。
【０００９】
この小便器は、水封部に尿が滞留して臭気を発生しても、シール層によって臭気が便鉢部側へ拡散することを防止することができる。このため、便鉢部に吐水水する洗浄水は、水封部の容量よりも少ない水量で便鉢部の表面に付着した尿を流入口から排水トラップ内へ流入させるだけの水量でよい。このように、この小便器は、便鉢部の表面に付着した尿を流入口から排水トラップ内へ流入させる必要最小限の洗浄水を吐水すれば、便鉢部の表面に尿が残留することを防止することができ、便鉢部の表面で尿の成分がバクテリアの作用によって分解され、アンモニアが生成されることを防止することができる。また、アンモニアが生成されないため、便鉢部の表面のｐＨの上昇も防止することができる。
【００１０】
したがって、本発明の小便器は臭い及び尿石の発生を少量の洗浄水によって防止することができる。
【図面の簡単な説明】
【００１１】
【図１】実施例の小便器を示す断面図である。
【図２】実施例の小便器を示す斜視図である。
【図３】実施例の小便器の吐水パターンを示し、（Ａ）は季節変化に基づくグラフであり、（Ｂ）は１日の時間変化に基づくグラフである。
【発明を実施するための形態】
【００１２】
本発明における好ましい実施の形態を説明する。
【００１３】
本発明の小便器において、前記吐水装置は、前記便鉢部の所定の表面である第１表面に向けて噴霧状の洗浄水を吐水する噴霧ノズルと、前記第１表面以外の前記便鉢部の表面である第２表面に向けて整流状の洗浄水を吐水する整流ノズルとを有し得る。この場合、噴霧ノズルから洗浄水を噴霧状に吐水するため、少ない洗浄水で便鉢部の広い範囲に洗浄水を噴霧することができ、表面に付着した尿を流入口から排水トラップ内へ流入させることができる。また、噴霧ノズルでは噴霧し難い便鉢部の表面（例えば、噴霧ノズルで洗浄水を噴霧すると便鉢部の外側にはみ出してしまうような便鉢部の表面の左右縁部等の表面）に向けて整流ノズルから整流状の洗浄水を吐水する。このようにすれば、便鉢部の表面全体に洗浄水を良好に流すことができ、便鉢部の表面に付着した尿を確実に流入口から排水トラップ内へ流入させることができる。
【００１４】
本発明の小便器において、前記吐水装置は、洗浄水を吐水しない第１モード、一定時間ごとに洗浄水を吐水する第２モード、及び使用される毎に洗浄水を吐水する第３モードを有し、少なくともこれら各モードの内、２つのモードを選択して洗浄水を吐水し得る。この場合、小便器の使用頻度や、温度等の環境等によって変化する臭気の発生具合に応じて吐水装置から洗浄水を吐水する頻度を変更し、臭気の発生を効率的に抑制し、節水を図ることができる。
【００１５】
次に、本発明の小便器を具体化した実施例について、図面を参照しつつ説明する。
【００１６】
＜実施例＞
実施例の小便器は、図１及び図２に示すように、小便器本体１０と、排水トラップ３０と、吐水装置５０とを備えている。小便器本体１０は、便鉢部１１を有しており、壁部Ｗに図示しない吊下げ金具に係止されて固定されている。小便器本体１０は、便鉢部１１の下端が開口した開口部１２を有している。開口部１２は排水連結管１３に連結されている。排水連結管１３は、開口部１２に連続して着脱自在なカートリッジ形態の排水トラップ３０を収納する収納部１４と、収納部１４から壁部Ｗ方向に延びて壁部Ｗから引き出された排水管Ｄに連結する連結部１５とを有している。
【００１７】
排水トラップ３０は、カートリッジ形態であり、小便器本体１０の開口部１２から排水連結管１３の収納部１４に着脱自在に収納されている。このため、排水トラップ３０は、小便器が使用されることによって後述するシール層Ｓを形成するシール液が減少したり、尿石が排水トラップ３０内に堆積しすぎたりした場合に、容易に交換することができる。排水トラップ３０は、流入口３１、内部流路３２、及び流出口３３を有している。流入口３１は便鉢部１１の下部表面に連続した排水トラップ３０の上面部３４に開口している。内部流路３２は、上面部３４から垂下した隔壁３５によって仕切られ、隔壁３５の下端より下方で連通した第１室３６Ａと第２室３６Ｂとを有している。第１室３６Ａと第２室３６Ｂとで水封部３６を構成している。第１室３６Ａは、流入口３１に連通しており、流入口３１から尿及び洗浄水が流入する。第１室３６Ａと第２室３６Ｂに尿及び洗浄水を混合した混合液体が貯留される。排水トラップ３０は、第２室３６Ｂの下流側に連通し、第２室３６Ｂから溢流した混合液体が流下する流出路３７を有している。流出口３３は、流出路３７の下流端に形成され、排水トラップ３０の下面部３８の縁部に開口している。
【００１８】
排水トラップ３０は、非溶水性であり、混合液体よりも比重が小さいシール液を第１室３６Ａに注入して、貯留された混合液体の上流側で上面を覆うようにシール液を滞留させてシール層Ｓを形成している。シール層Ｓは混合液体から発生する臭気が便鉢部１１側へ拡散することを防止することができる。
【００１９】
吐水装置５０は、便鉢部１１の左右中央の表面である第１表面に向けて噴霧状の洗浄水を吐水する１個の噴霧ノズル５１と、（第１表面以外の便鉢部１１の表面である）第１表面の左右の第２表面、つまり便鉢部１１の表面の左右縁部に向けて整流状の洗浄水を吐水する２個の整流ノズル５２とを有している。
【００２０】
吐水装置５０は、給水源に連通した主給水路５３と、主給水路５３に設けた開閉弁５４と、主給水路５３の下流端に設けた三方弁５５と、三方弁５５を介して主給水路５３に連通した第１分岐水路５６Ａ及び第２分岐水路５６Ｂとを有している。開閉弁５４と三方弁５５は、図示しない制御装置によって開閉制御されている。第１分岐水路５６Ａの下流端に噴霧ノズル５１が連結している。第２分岐水路５６Ｂは２つに分岐されており、夫々の下流端に整流ノズル５２が連結している。
【００２１】
このように形成された小便器は、使用者が小便器の前に近づいたことを図示しない人体検知センサーが検知すると、噴霧ノズル５１から洗浄水を吐水するように三方弁５５を切り替えて、開閉弁５４を設定時間の間、開弁し、前洗浄を実行する。前洗浄時において、噴霧状に洗浄水を吐水するため、少ない洗浄水で便鉢部１１の第１表面を濡らすことができ、使用者が排尿した際に便鉢部１１の第１表面に尿が付着し難くなる。
【００２２】
そして、使用者が排尿した後に小便器の前から立ち去ったことを人体検知センサーが検知すると、噴霧ノズル５１と整流ノズル５２とから洗浄水を吐水するように三方弁５５を切り替えて、開閉弁５４を設定時間の間、開弁し、本洗浄を実行する。本洗浄で噴霧ノズル５１と整流ノズル５２とから吐水する洗浄水は、便鉢部１１の表面に付着した尿を流入口３１から排水トラップ３０内へ流入させるものであり、水量は排水トラップ３０の水封部３６の容量よりも少なく、水勢が弱くてよい。このように、本洗浄の際に排水トラップ３０の流入口３１から第１室３６Ａに流入する洗浄水の水量が少なく、水勢も弱いため、排水トラップ３０内のシール層Ｓが下流側に排出され難い。このため、排水トラップ３０内のシール層Ｓが長期間、良好に存在し、臭気が便鉢部１１側へ拡散することを防止することができる。
【００２３】
この小便器は、水封部３６に尿が滞留して臭気を発生しても、シール層Ｓによって臭気が便鉢部１１側へ拡散することを防止することができる。このため、便鉢部１１に吐水する洗浄水は、水封部３６の容量よりも少ない水量で便鉢部１１の表面に付着した尿を流入口３１から排水トラップ３０内へ流入させるだけの水量でよい。このように、この小便器は、便鉢部１１の表面に付着した尿を流入口３１から排水トラップ３０内へ流入させる必要最小限の洗浄水を吐水すれば、便鉢部１１の表面に尿が残留することを防止することができ、便鉢部１１の表面で尿の成分がバクテリアの作用によって分解され、アンモニアが生成されることを防止することができる。また、アンモニアが生成されないため、便鉢部１１の表面のｐＨの上昇も防止することができる。
【００２４】
したがって、実施例の小便器は臭い及び尿石の発生を少量の洗浄水によって防止することができる。
【００２５】
また、この小便器は、噴霧ノズル５１から洗浄水を噴霧状に吐水するため、少ない洗浄水で便鉢部１１の広い範囲（第１表面）に洗浄水を噴霧することができ、便鉢部１１の表面に付着した尿を流入口３１から排水トラップ３０内へ流入させることができる。また、噴霧ノズル５１では噴霧し難い便鉢部１１の表面の左右縁部（第２表面）に向けて整流ノズル５２から整流状の洗浄水を吐水する。このため、便鉢部１１の表面全体に洗浄水を良好に流すことができ、便鉢部１１の表面に付着した尿を確実に流入口３１から排水トラップ３０内へ流入させることができる。
【００２６】
また、吐水装置５０は、前洗浄及び本洗浄をしない（洗浄水を吐水しない）第１モード、一定時間ごと（例えば、３０分ごと）に本洗浄を行う（洗浄水を吐水する）第２モード、及び小便器が使用される毎に前洗浄及び本洗浄を行う（洗浄水を吐水する）第３モードを有している。そして、吐水装置５０は、図３（Ａ）に示すように、１年の内、３月から９月までを第３モードで駆動し、１０月から２月までを第１モードで駆動するようにすることができる。つまり、３月から９月までは、比較的、気温が高いため、便鉢部１１の表面に付着した尿の乾燥が早くなる等、臭気が発生し易くなることから、第３モードで駆動し、１０月から２月までは、比較的、気温が低いため、便鉢部１１の表面に付着した尿の乾燥が遅い等、臭気が発生し難くなることから第１モードで駆動する。
【００２７】
また、吐水装置５０は、図３（Ｂ）に示すように、１日の内、朝の６：００から夜中の０：００までを第３モードで駆動し、夜中の０：００から朝の６：００までを第２モードで駆動することができる。つまり、朝の６：００から夜中の０：００までは、小便器を利用する頻度が多いため、便鉢部１１の表面に尿が付着する機会が多い等、臭気が発生し易くなることから、第３モードで駆動し、夜中の０：００から朝の６：００までは、小便器を利用する頻度が少ないため、便鉢部１１の表面に尿が付着する機会が少ない等、臭気が派生し難くなることから第２モードで駆動する。
【００２８】
本発明は上記記述及び図面によって説明した実施例に限定されるものではなく、例えば次のような実施例も本発明の技術的範囲に含まれる。
（１）実施例では、噴霧状に洗浄水を吐水する噴霧ノズルと、整流状に洗浄水を吐水する整流ノズルとを有していたが、他の状態に洗浄水を吐水するノズルを有してもよい。
（２）実施例では、１個の噴霧ノズルと２個の整流ノズルとを有していたが、噴霧ノズル又は整流ノズルのどちらか一方を有していればよい。この場合、同一種類のノズルを複数個有していてもよい。
（３）実施例では、１個の噴霧ノズルと２個の整流ノズルとを有していたが、夫々が少なくとも一つ以上有していればよい。
（４）実施例では、前洗浄を実行したが、前洗浄を実行しなくてもよい。
（５）実施例では、３月から９月までと、１０月から２月までとで吐水装置の洗浄モードを変更したが、その期間は適宜変更することができる。
（６）実施例では、朝の６：００から夜中の０：００までと、夜中の０：００から朝の６：００までとで吐水装置の洗浄モードを変更したが、その時間は適宜変更することができる。
（７）実施例では、吐水装置が第３モードと第１モードとを選択して洗浄水を吐水したり、第３モードと第２モードとを選択して洗浄水を吐水したりしたが、第１〜第３モードの三種類を組み合わせて洗浄水を吐水してもよい。
【符号の説明】
【００２９】
１０…小便器本体
１１…便鉢部
３０…排水トラップ
３１…流入口
３２…内部流路
３３…流出口
３６…水封部
５０…吐水装置
５１…噴霧ノズル
５２…整流ノズル
Ｓ…シール層
【図１】
2014211033.tif 000003
【図２】
2014211033.tif 000004
【図３】
2014211033.tif 000005